(57)【要約】【課題】  ダイナミックに音量調整し、一定の音量で聞くことが可能な音量調整装置を提供する。【解決手段】  話者音量係数テーブル１３には話者識別ＩＤと音声係数の情報とが対応させられて記憶されている。話者識別部１１は受信したパケットからフロアコントロール情報を基に話者別ＩＤを抽出するか、またはＲＴＰパケットとしてＲＴＰバッファに出力する。音量制御部１２は記録媒体１４の制御プログラム１４ａを実行することで、現在の話者識別ＩＤを記録し、その話者識別ＩＤに該当する音量係数を話者音量係数テーブル１３から読出して音量制御情報として出力する。この場合、音量制御部１２は音量ボタンの押下情報から該当する音量係数を増加／減少させる。【選択図】      図１
2006140542.tif 000002
【特許請求の範囲】
【請求項１】
複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムであって、
前記複数の携帯端末装置のいずれかが、前記話者権をコントロールするためのフロアコントロール情報を基に前記話者権を持つ携帯端末装置を識別する識別手段と、外部からの音量調整の操作を基に話者単位に音量を記憶管理する記憶管理手段と、前記識別手段で識別された携帯端末装置に対応する音量を前記記憶管理手段から検索して当該音量となるように自端末からの音量を調整する調整手段とを有することを特徴とする多地点通話システム。
【請求項２】
前記識別手段は、前記フロアコントロール情報から前記携帯端末装置を識別する話者別識別情報を抽出し、
前記記憶管理手段は、前記話者別識別情報とその話者別識別情報に該当する音量係数とを対応付けて記憶し、
前記調整手段は、前記音量係数を音量制御情報として出力することを特徴とする請求項１記載の多地点通話システム。
【請求項３】
前記複数の携帯端末装置のいずれかが、前記音量調整の操作に用いる音量ボタンの押下情報から該当する音量係数を増減させる手段を含むことを特徴とする請求項２記載の多地点通話システム。
【請求項４】
複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムにおいて前記携帯端末装置で受信した音声パケットの音量を調整する音量調整装置であって、
前記話者権をコントロールするためのフロアコントロール情報を基に前記話者権を持つ携帯端末装置を識別する識別手段と、外部からの音量調整の操作を基に話者単位に音量を記憶管理する記憶管理手段と、前記識別手段で識別された携帯端末装置に対応する音量を前記記憶管理手段から検索して当該音量となるように前記受信した音声パケットの音量を調整する調整手段とを有することを特徴とする音量調整装置。
【請求項５】
前記識別手段は、前記フロアコントロール情報から前記携帯端末装置を識別する話者別識別情報を抽出し、
前記記憶管理手段は、前記話者別識別情報とその話者別識別情報に該当する音量係数とを対応付けて記憶し、
前記調整手段は、前記音量係数を音量制御情報として出力することを特徴とする請求項４記載の音量調整装置。
【請求項６】
前記音量調整の操作に用いる音量ボタンの押下情報から該当する音量係数を増減させる手段を含むことを特徴とする請求項５記載の音量調整装置。
【請求項７】
話者権を持つ携帯端末装置から他の端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムにおいて受信した音声パケットの音声を出力する携帯端末装置であって、
前記話者権をコントロールするためのフロアコントロール情報を基に前記話者権を持つ携帯端末装置を識別する識別手段と、外部からの音量調整の操作を基に話者単位に音量を記憶管理する記憶管理手段と、前記識別手段で識別された携帯端末装置に対応する音量を前記記憶管理手段から検索して当該音量となるように自端末からの音量を調整する調整手段とを有することを特徴とする携帯端末装置。
【請求項８】
前記識別手段は、前記フロアコントロール情報から前記端末装置を識別する話者別識別情報を抽出し、
前記記憶管理手段は、前記話者別識別情報とその話者別識別情報に該当する音量係数とを対応付けて記憶し、
前記調整手段は、前記音量係数を音量制御情報として出力することを特徴とする請求項７記載の携帯端末装置。
【請求項９】
前記音量調整の操作に用いる音量ボタンの押下情報から該当する音量係数を増減させる手段を含むことを特徴とする請求項８記載の携帯端末装置。
【請求項１０】
複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムに用いられる音量調整方法であって、前記複数の携帯端末装置のいずれかが、前記話者権をコントロールするためのフロアコントロール情報を基に前記話者権を持つ携帯端末装置を識別する処理と、外部からの音量調整の操作を基に話者単位に音量を記憶管理手段に記憶管理する処理と、その識別された携帯端末装置に対応する音量を前記記憶管理手段から検索して当該音量となるように自端末からの音量を調整する処理とを実行することを特徴とする音声調整方法。
【請求項１１】
前記携帯端末装置を識別する際に、前記フロアコントロール情報から前記携帯端末装置を識別する話者別識別情報を抽出し、
前記記憶管理手段に前記話者単位に音量を記憶する際に、前記話者別識別情報とその話者別識別情報に該当する音量係数とを対応付けて記憶し、
前記自端末からの音量を調整する際に、前記音量係数を音量制御情報として出力することを特徴とする請求項１０記載の音声調整方法。
【請求項１２】
前記複数の携帯端末装置のいずれかが、前記音量調整の操作に用いる音量ボタンの押下情報から該当する音量係数を増減させる処理を実行することを特徴とする請求項１１記載の音声調整方法。
【請求項１３】
複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムに用いられる音量調整方法であって、前記複数の携帯端末装置のいずれかのコンピュータに、前記話者権をコントロールするためのフロアコントロール情報を基に前記話者権を持つ携帯端末装置を識別する処理と、外部からの音量調整の操作を基に話者単位に音量を記憶管理手段に記憶管理する処理と、その識別された携帯端末装置に対応する音量を前記記憶管理手段から検索して当該音量となるように自端末からの音量を調整する処理とを実行させるためのプログラム。
【発明の詳細な説明】
【技術分野】
【０００１】
本発明は多地点通話システム、音量調整装置、携帯端末装置及びそれらに用いる音量調整方法並びにそのプログラムに関し、特に多地点間会議装置等の多地点通話システムにおける受信側の音量調整方法に関する。
【背景技術】
【０００２】
従来、この種の多地点通話システムに用いられる端末装置においては、送信端末が変更され、話者によって音量が著しく代わっても適切に調整する有効な手段がないので、エンドユーザがそれぞれ気をつけて話す必要がある。
【０００３】
そこで、従来の多地点通話システムでは、複数の人が使う、主に家庭用の電話機において、話者を抽出／特定し、その話者に該当するテーブル（Ｔａｂｅｌ）に予め設定されている情報（音量情報や話速情報）を使い、その電話機の音量や話速等の特性を変える方法が提案されている（例えば、特許文献１参照）。この方法では、例えば、小さな音が聞き取りにくく、細かい操作が苦手な老人の方が電話に出るたびに、音量を上げるような操作をしなくてもよいという特徴がある。
【０００４】
また、従来の多地点通話システムでは、ＰＣ（パーソナルコンピュータ）等の情報端末において、予め設定した音声信号の増幅／減衰率を通話相手と対応付けて音声管理情報記憶手段に記憶し、音量を調整しようとする方法が提案されている。但し、音声管理情報は予め何らかの方法で設定され、情報端末間でネットワークを介して相互に交換することを特徴としている（例えば、特許文献２参照）。
【０００５】
さらに、従来の多地点通話システムでは、多地点ＴＶ（テレビ）会議システムに接続される音声入力端末において、音声調整手段を入力側に持たせ、予め設定されている相手端末の適性音量と自端末の入力音量との差を調整し、適性音量をネットワークに出力することを特徴としている（例えば、特許文献３参照）。
【０００６】
【特許文献１】特開２０００−３１２２４７号公報
【特許文献２】特開２００１−０９４６０４号公報
【特許文献３】特開平０９−１４９１３３号公報
【発明の開示】
【発明が解決しようとする課題】
【０００７】
しかしながら、上述した従来の多地点通信システムでは、上記の特許文献１の技術を用いる場合、多地点で複数の人との同時に電話をすると、相手の人の声の大きさ／周囲の騒音等によって、ダイナミックに音量調整し、一定の音量で聞くことができるようにすることができない。
【０００８】
また、従来の多地点通信システムでは、上記の特許文献２の技術を用いる場合、上記と同様、多地点で複数の人との同時に電話をすると、相手の人の声の大きさ／周囲の騒音等によって、ダイナミックに音量調整し、一定の音量で聞くことができるようにすることができない。
【０００９】
さらに、従来の多地点通信システムでは、上記の特許文献３の技術を用いる場合、固定的に端末が特定の場所に設置され、一定の環境で使用されるＴＶ会議システムの端末には有効であるが、相手の人の声の大きさ／周囲の騒音等によって、ダイナミックに音量調整し、一定の音量で聞くことができるようにすることができない。
【００１０】
そこで、本発明の目的は上記の問題点を解消し、ダイナミックに音量調整することができ、一定の音量で聞くことができる多地点通話システム、音量調整装置、携帯端末装置及びそれらに用いる音量調整方法並びにそのプログラムを提供することにある。
【課題を解決するための手段】
【００１１】
本発明による多地点通話システムは、複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムであって、
前記複数の携帯端末装置のいずれかが、前記話者権をコントロールするためのフロアコントロール情報を基に前記話者権を持つ携帯端末装置を識別する識別手段と、外部からの音量調整の操作を基に話者単位に音量を記憶管理する記憶管理手段と、前記識別手段で識別された携帯端末装置に対応する音量を前記記憶管理手段から検索して当該音量となるように自端末からの音量を調整する調整手段とを備えている。
【００１２】
本発明による音量調整装置は、複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムにおいて前記携帯端末装置で受信した音声パケットの音量を調整する音量調整装置であって、
前記話者権をコントロールするためのフロアコントロール情報を基に前記話者権を持つ携帯端末装置を識別する識別手段と、外部からの音量調整の操作を基に話者単位に音量を記憶管理する記憶管理手段と、前記識別手段で識別された携帯端末装置に対応する音量を前記記憶管理手段から検索して当該音量となるように前記受信した音声パケットの音量を調整する調整手段とを備えている。
【００１３】
本発明による携帯端末装置は、話者権を持つ携帯端末装置から他の端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムにおいて受信した音声パケットの音声を出力する携帯端末装置であって、
前記話者権をコントロールするためのフロアコントロール情報を基に前記話者権を持つ携帯端末装置を識別する識別手段と、外部からの音量調整の操作を基に話者単位に音量を記憶管理する記憶管理手段と、前記識別手段で識別された携帯端末装置に対応する音量を前記記憶管理手段から検索して当該音量となるように自端末からの音量を調整する調整手段とを備えている。
【００１４】
本発明による音量調整方法は、複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムに用いられる音量調整方法であって、前記複数の携帯端末装置のいずれかが、前記話者権をコントロールするためのフロアコントロール情報を基に前記話者権を持つ携帯端末装置を識別する処理と、外部からの音量調整の操作を基に話者単位に音量を記憶管理手段に記憶管理する処理と、その識別された携帯端末装置に対応する音量を前記記憶管理手段から検索して当該音量となるように自端末からの音量を調整する処理とを実行している。
【００１５】
本発明による音量調整方法のプログラムは、複数の携帯端末装置間において、話者権を持つ携帯端末装置から他の携帯端末装置に音声送信が行われるＰｏＣ（Ｐｕｓｈ−ｔｏ−Ｔａｌｋ  ｏｖｅｒ  Ｃｅｌｌｕｌａｒ）を用いる多地点通話システムに用いられる音量調整方法であって、前記複数の携帯端末装置のいずれかのコンピュータに、前記話者権をコントロールするためのフロアコントロール情報を基に前記話者権を持つ携帯端末装置を識別する処理と、外部からの音量調整の操作を基に話者単位に音量を記憶管理手段に記憶管理する処理と、その識別された携帯端末装置に対応する音量を前記記憶管理手段から検索して当該音量となるように自端末からの音量を調整する処理とを実行させている。
【００１６】
すなわち、本発明の多地点通話システムは、音量調整装置内において、受信した音声パケットの送信元の情報と、エンドユーザの操作によって送信元の情報とを記憶し、音声の音量を調整する手段の構成を提供するものである。
【００１７】
より具体的に説明すると、本発明の多地点通話システムでは、音量調整装置が、受信したパケットから、話者権をコントロールするためのフロアコントロール情報を取り出してそれを基に話者別ＩＤ（識別情報）を抽出する話者識別手段と、現在の話者識別ＩＤを記録して該当する音量係数を音量制御情報として出力する出力手段と、音量ボタン押下情報から該当する音量係数を増加／減少させる手段とを持ち、話者識別ＩＤと音声係数の情報とを記憶する手段とから構成されることを特徴としている。
【００１８】
ここで、フロアコントロール情報とは、ＰｏＣ（Ｐｕｓｈ−ｔｏ−Ｔａｌｋ  ｏｖｅｒ  Ｃｅｌｌｕｌａｒ）システムにおいて話者権をコントロールするために用いられており、ＰｏＣサーバから各携帯端末に、どの端末が話者権を持っているかという情報を通知するためのものである。
【００１９】
また、本発明の多地点通話システムでは、複数の送信先から音声パケットが送られるような利用をシーンで各音声パケットの音量を、エンドユーザの音量調整の操作に合わせて送信先毎の音量を調整し、エンドユーザが一定の音量になるようエンドユーザに直感的な手段を提供することが可能となる。
【００２０】
これによって、本発明の多地点通話システムでは、音量調整装置において、ダイナミックに音量調整することが可能となり、エンドユーザが一定の音量で聞くことが可能となる。
【発明の効果】
【００２１】
本発明は、以下に述べるような構成及び動作とすることで、ダイナミックに音量調整することができ、一定の音量で聞くことができるという効果が得られる。
【発明を実施するための最良の形態】
【００２２】
次に、本発明の実施例について図面を参照して説明する。図１は本発明の一実施例による音量調整装置の構成を示すブロック図１である。図１において、音量調整装置１は話者識別部１１と、音量制御部１２と、話者音量係数テーブル１３と、音量制御部１２が実行する制御プログラム１４ａを保持する記録媒体１４とから構成されている。
【００２３】
話者識別部１１は受信したパケットから、話者権をコントロールするためのフロアコントロール（Ｆｌｏｏｒ  Ｃｏｎｔｒｏｌ）情報を取り出してそれを基に話者別ＩＤを抽出する。音量制御部１２は記録媒体１４の制御プログラム１４ａを実行することで、現在の話者識別ＩＤを記録し、その話者識別ＩＤに該当する音量係数を音量制御情報として出力する。この場合、音量制御部１２は図示せぬ音量ボタンの押下情報から該当する音量係数を増加／減少させる。
【００２４】
ここで、フロアコントロール情報とは、ＰｏＣ（Ｐｕｓｈ−ｔｏ−Ｔａｌｋ  ｏｖｅｒ  Ｃｅｌｌｕｌａｒ）システムにおいて話者権をコントロールするために用いられており、ＰｏＣサーバから各携帯端末に、どの端末が話者権を持っているかという情報を通知するためのものである［“Ｐｕｓｈ−ｔｏ−ｔａｌｋ  ｏｖｅｒ  Ｃｅｌｌｕｌａｒ（ＰｏＣ）；７．５  Ｆｌｏｏｒ  Ｃｏｎｔｒｏｌ”（Ａｒｃｈｉｔｅｃｔｕｒｅ  Ｖ１．１．０（２００３−０８））参照］。
【００２５】
話者音量係数テーブル１３は話者識別ＩＤ（ＵＥ＃１，ＵＥ＃２，ＵＥ＃３，・・・）と、音声係数の情報（０．ｎｎ，０．ｘｎ，０．ｚｙ）とを対応させて記憶している。
【００２６】
図２は図１の話者識別部１１の動作を示すフローチャートであり、図３及び図４は図１の音量制御部１２の動作を示すフローチャートである。これら図１〜図４を参照して本発明の一実施例による音量調整装置１の動作について説明する。尚、図３及び図４に示す処理は音量制御部１２が記録媒体１４の制御プログラム１４ａを実行することで実現される。
【００２７】
話者識別部１１は処理をスタートした後に、パケットを取得し（図２ステップＳ１）、取得したパケットがフロアコントロール情報かどうかを判断する（図２ステップＳ２）。
【００２８】
話者識別部１１はパケットがフロアコントロール情報の場合、そのフロアコントロール情報を基に話者識別ＩＤを抽出し（図２ステップＳ４）、抽出した話者識別ＩＤを音量制御部１２へ出力する（図２ステップＳ５）。また、話者識別部１１はパケットがフロアコントロール情報でない場合、ＲＴＰ（Ｒｅａｌ−ｔｉｍｅ  Ｔｒａｎｓｐｏｒｔ  Ｐｒｏｔｏｃｏｌ）受信バッファ（図示せず）へ出力する。話者識別部１１は上記の処理が終わりかどうかを判断し（図２ステップＳ６）、処理が終わりであれば、上記の処理を終わる。
【００２９】
次に、音声制御部１２は処理をスタートすると、話者識別ＩＤを取得すると（図３ステップＳ１１）、話者音量係数テーブル１３からその話者識別ＩＤに相当する音声係数を取得し（図３ステップＳ１２）、取得した音声係数を基に音声制御情報を出力する（図３ステップＳ１３）。その後に、音声制御部１２は処理が終わりかどうかを判断し（図３ステップＳ１４）、処理が終わりであれば、上記の処理を終わる。
【００３０】
また、音声制御部１２は処理をスタートすると、音量ボタンの押下情報を取得し（図４ステップＳ２１）、その音量ボタンの押下情報からボタンの種類（ＵＰ／ＤＯＷＮ）を判断する（図４ステップＳ２２）。
【００３１】
音声制御部１２はボタンの種類がＵＰの場合、話者音量係数テーブル１３においてカレントの話者識別ＩＤ（現在の話者識別ＩＤ）に相当する音量係数をインクリメントする（図４ステップＳ２３）。
【００３２】
さらに、音声制御部１２はボタンの種類をＤｏｗｎと判断した場合、話者音量係数テーブル１３においてカレントの話者識別ＩＤに相当する音量係数をデクリメントする（図４ステップＳ２４）。音声制御部１２は上記の処理が終わりかどうかを判断し（図４ステップＳ２５）、処理が終わりであれば、上記の処理を終わる。
【００３３】
このように、本実施例では、音量調整装置１に、受信したパケットからフロアコントロール情報を基に話者別ＩＤを話者識別部１１で抽出し、音量制御部１２が現在の話者識別ＩＤを記録して話者音量係数テーブル１３から該当する音量係数を読出し、音量制御情報として出力するとともに、音量ボタンの押下情報から該当する音量係数を増加／減少させることによって、ダイナミックに音量調整することができ、エンドユーザが一定の音量で聞くことができる。
【００３４】
また、本実施例では、複数の送信先から音声パケットが送られるような利用シーンで各音声パケットの音量を、エンドユーザの音量調整の操作に合わせて送信先毎の音量を調整し、エンドユーザが一定の音量になるようエンドユーザに直感的な手段を提供することができる。
【００３５】
これによって、本発明の多地点通話システムでは、音量調整装置において、ダイナミックに音量調整することが可能となり、エンドユーザが一定の音量で聞くことができる。
【００３６】
図５は本発明の一実施例による音量調整装置を含む携帯端末の構成を示すブロック図であり、図６は本発明の一実施例による多地点通話システムの構成を示すブロック図である。尚、図６に示す本発明の一実施例による多地点通話システムはＰｏＣ（Ｐｕｓｈ−ｔｏ−Ｔａｌｋ  ｏｖｅｒ  Ｃｅｌｌｕｌａｒ）システムである。
【００３７】
図５において、携帯端末２はマイク２１と、サウンドドライバ２２と、ＰＣＭ（Ｐｕｌｓｅ  Ｃｏｄｅ  Ｍｏｄｕｌａｔｉｏｎ）２３，３１と、エンコーダ２４と、圧縮データバッファ２５，３３と、パケット組立部２６と、送信バッファ２７と、通信プロトコル群（Ｐｒｏｔｏｃｏｌ  ｓｔａｃｋ）２８と、スピーカ２９と、アンプ３０と、デコーダ３２と、パケット分解部３４と、受信バッファ３５と、話者識別部３６と、音量制御部３７と、話者別音量係数テーブル３８と、音量ボタン３９とから構成されている。
【００３８】
上記の携帯端末２においては、話者識別部３６、音量制御部３７、話者別音量係数テーブル３８が上記の話者識別部１１、音量制御部１２、話者別音量係数テーブル１３と同様の構成となっており、本発明の一実施例による音量調整装置１の動作と同様である。
【００３９】
マイク２１で取得された音声はサウンドドライバ２２でＰＣＭデータに変換され、予め指定されているＣＯＤＥＣ（ｃｏｄｅｒ／ｄｅｃｏｄｅｒ）で圧縮されて圧縮データバッファ２５に格納される。この圧縮データはパケット組立部２６にてパケットに形に組立てられ、送信バッファ２７及び通信プロトコル群２８を介してネットワーク１００［図６のＰｏＣサーバ３］に出力される。
【００４０】
また、図６に示すＰｏＣサーバ３からのパケットはネットワーク１００から通信プロトコル群２８を介して入力され、話者識別部３６で話者識別が行われるか、またはＲＴＰパケットとして受信バッファ３５に転送される。
【００４１】
受信バッファ３５に転送されたＲＴＰパケットはパケット分解部３４で分解されて圧縮データバッファ３３に格納される。圧縮データバッファ３３に格納されたデータはデコーダ３２でＰＣＭデータに戻され、サウンドドライバ２２とアンプ３０を経由してスピーカ２９から音声として出力される。
【００４２】
この時、音量制御部３７は話者識別部３６で抽出された話者識別ＩＤからカレントの話者に応じた音量係数を話者音量係数テーブル１３から読出し、その音量係数を制御情報としてデコーダ３２に与え、ＰＣＭデータに戻す時に音量の増減を加減する。また、音量制御部３７はエンドユーザが音量ボタン３９にて音量の調整を行った場合、その調整した内容を話者別音量係数テーブル３８に反映する。
【００４３】
ここで、図６に示すＰｏＣシステムでは、パケット網を用い、１対多人数の通話を行うことができる。但し、二人以上が同時に話すことはできず、話かけたい人が現在話している人の話が終わるのを待ち、話者権をとってから話すことになる。
【００４４】
ＰｏＣ端末（ＵＥ＃１〜ＵＥ＃ｎ）におけるＰｏＣの使い方は、トランシーバの使用方法と似ている。発言者が専用のＰｏＣキーを押下して継続状態にすることによって話者権を持ち、発言した音声データが他のＰｏＣ端末へと送られる。他のＰｏＣ端末では発言することができず、音声受信のみとなる。
【００４５】
話者権保持者が専用のＰｏＣキーを解放することによって、話者権が解放され、解放後、最初に専用のＰｏＣキーが押下されたＰｏＣ端末が話者権を獲得し、そのＰｏＣ端末を通しての発言が可能となる。
【図面の簡単な説明】
【００４６】
【図１】本発明の一実施例による音量調整装置の構成を示すブロック図である。
【図２】図１の話者識別部の動作を示すフローチャートである。
【図３】図１の音量制御部の動作を示すフローチャートである。
【図４】図１の音量制御部の動作を示すフローチャートである。
【図５】本発明の一実施例による音量調整装置を含む携帯端末の構成を示すブロック図である。
【図６】本発明の一実施例による多地点通話システムの構成を示すブロック図である。
【符号の説明】
【００４７】
１  音量調整装置
２  携帯端末
３  ＰｏＣサーバ
１１，３６  話者識別部
１２，３６  音量制御部
１３，３８  話者別音量係数テーブル
１４  記録媒体
１４ａ  制御プログラム
２１  マイク
２２  サウンドドライバ
２３，３１  ＰＣＭ
２４  エンコーダ
２５，３３  圧縮データバッファ
２６  パケット組立部
２７  送信バッファ
２８  通信プロトコル群
２９  スピーカ
３０  アンプ
３２  デコーダ
３４  パケット分解部
３５  受信バッファ
３９  音量ボタン
【図１】
2006140542.tif 000003
【図２】
2006140542.tif 000004
【図３】
2006140542.tif 000005
【図４】
2006140542.tif 000006
【図５】
2006140542.tif 000007
【図６】
2006140542.tif 000008